(57)【要約】【課題】  資源の有効利用を図ると共に、簡単な構成によって収納物の定量取り出しを確実かつ円滑に行えるようにする。【解決手段】  収納物Ｇを収納する容器本体２の上端の開口部２１に取り付けられ、開口部２１と連通状態に開口されている収納凹部３１を有し、収納物Ｇを排出する排出口３２を設けている蓋体３と、収納凹部３１内に回転可能に設けられ、定量の収納物Ｇを取り入れる取り出し凹部４１を設けてあるバケットローター４とを備え、バケットローターは、その外周面と、回転方向において対向している取り出し凹部４１の内周面の一方の内周面との間にすくい取り部４１４を形成してあり、取り出し凹部の開口部４１１は収納凹部３１を通じて容器本体２内及び排出口３２と連通可能であり、収納凹部の開口部は取り出し凹部の開口部より広く開けられている。【選択図】        図１
2007039089.tif 000002
【特許請求の範囲】
【請求項１】
容器本体、蓋体、バケットローター及び操作部を具備しており、
上記容器本体は、その内部で粒状物等の収納物を収納するものであり、
上記蓋体は、上記容器本体の上端の開口部に密閉状態に取り付けられていると共に、上記開口部から取り外し可能であり、上記開口部と連通状態に開口されている収納凹部を有しており、上記収納物を排出する排出口を設けてあり、
上記バケットローターは、上記蓋体の収納凹部内に回転可能に設けられており、定量の上記収納物を取り入れ可能である取り出し凹部を設けてあり、
上記操作部は、上記バケットローターを回転操作するための手段であり、
上記バケットローターは、その外周面と、回転方向において対向している上記取り出し凹部の内周面の一方の内周面との間にすくい取り部を形成してあり、
上記取り出し凹部の開口部は上記収納凹部を通じて上記容器本体内及び上記排出口とそれぞれ連通可能であり、
上記収納凹部の開口部は上記取り出し凹部の開口部より広い
ことを特徴とする粒状物等の収納物の定量取り出し容器。
【請求項２】
バケットローターの回転方向において対向している取り出し凹部の内周面の他方の内周面は、収納物を取り出し凹部内へ、排出口へそれぞれ導く案内面を形成していることを特徴とする請求項１記載の粒状物等の収納物の定量取り出し容器。
【請求項３】
取り出し凹部はその底部から開口部に向けてバケットローターの回転方向に沿って屈曲状態に設けられていることを特徴とする請求項１又は請求項２記載の粒状物等の収納物の定量取り出し容器。
【請求項４】
バケットローターの外周面と収納凹部の内周面との隙間を遮断するための封止材を設けてあることを特徴とする請求項１乃至請求項３のいずれかに記載の粒状物等の収納物の定量取り出し容器。
【請求項５】
容器本体の上端の開口部と蓋体の下端部との結合部分は止めリングによって密閉されており、排出口はこれを開放可能である開閉板によって密着状態に閉鎖されていることを特徴とする請求項１乃至請求項４のいずれかに記載の粒状物等の収納物の定量取り出し容器。
【請求項６】
容器本体、蓋体、円板状のバケットローター及び操作ハンドルを具備しており、
上記容器本体は、その内部で粒状物等の収納物を収納するものであり、
上記蓋体は、上記容器本体の上端の開口部に密閉状態に取り付けられていると共に、上記開口部から取り外し可能であり、開口部と連絡孔部を有している収納凹部を設け、上記収納物を排出する排出口を設けてあり、
上記バケットローターには、定量の上記収納物を取り入れ可能である取り出し凹部を外周面から内方に切り込んで設けていると共に、上記バケットローターの外周面と、回転方向において対向している上記取り出し凹部の内周面の一方の内周面との間にすくい取り部を形成し、かつ他方の内周面が上記収納物を取り出し凹部内へ、排出口へそれぞれ導く案内面を形成しており、
上記操作ハンドルは、上記バケットローターと回転軸を介して接続されており、
上記収納凹部の開口部は上記容器本体の上端の上記開口部と、上記連絡孔部は上記排出口とそれぞれ連通されており、
上記バケットローターは、上記蓋体の収納凹部内に回転可能に設けられており、
上記取り出し凹部はその底部から開口部に向けてバケットローターの回転方向に沿って屈曲状態に設けられており、上記取り出し凹部の開口部が上記収納凹部を通じて容器本体内及び上記排出口とそれぞれ連通可能であり、
上記収納凹部の開口部は上記取り出し凹部の開口部より広い
ことを特徴とする粒状物等の収納物の定量取り出し容器。
【発明の詳細な説明】
【技術分野】
【０００１】
この発明は、粉末・粒状・顆粒状の食品（例えば粉末状のコーヒー、ミルク、茶、栄養補助食品等）、洗剤、医薬品等の収納物の定量を取り出すことができる粒状物等の収納物の定量取り出し容器に関するものである。
【背景技術】
【０００２】
粒状物等の収納物の定量取り出し容器の従来技術として、例えば特開平１１−２５５２７５号公報に記載の「茶葉・コーヒー粉の容器」（以下、「従来例」という。）が提案されている。
従来例では、容器の本体内に漏斗型の容器の下に円筒を横にして接合して、その反対側を出口として、その円筒の中に円周の小さい円筒を一定量の茶葉、コーヒー粉が入る部分をつけたもの（断面半円形の凹部）を入れ、この小さい円筒をレバーにより回転させることにより、上記凹部を通じて中身を取り出せるようにしたものである。
【特許文献１】特開平１１−２５５２７５号公報
【発明の開示】
【発明が解決しようとする課題】
【０００３】
従来例には、次のような解決すべき課題がある。
第１は、容器本体内を漏斗型とし、定量取り出し用の円筒を有する構造であり、容器本体と定量取り出し用の円筒とが一体であるので、定量取り出し用手段を他の容器本体に簡単に転用することも、既存の容器にも転用できないことから、省資源の観点から資源の有効利用には限界がある。
第２は、円筒に設けてある定量取り出し用の凹部内へ確実に収納物が落下するように容器本体内を漏斗型としているが、このような構成にすることは容器自体の構造が複雑となり、反対に漏斗型にしない場合には円筒に設けてある定量取り出し用の凹部は断面半円形にして落下する収納部を受け入れるために、容器の本体の傾き角度によっては定量取り出し用の凹部内に収納物が入りにくく、この凹部による取り出しが円滑に行えない不都合が生じることが予想される。
この発明の目的は、資源の有効利用を図ると共に、簡単な構成によって収納物の定量取り出しを確実かつ円滑に行えるようにすることにある。
【課題を解決するための手段】
【０００４】
この発明の第１の特徴は、容器本体、蓋体、バケットローター及び操作部を具備していることにある。上記容器本体は、その内部で粒状物等の収納物を収納するものであり、上記蓋体は、上記容器本体の上端の開口部に密閉状態に取り付けられていると共に、上記開口部から取り外し可能であり、上記開口部と連通状態に開口されている収納凹部を有しており、上記収納物を排出する排出口を設けてある。上記バケットローターは、上記蓋体の収納凹部内に回転可能に設けられており、定量の上記収納物を取り入れ可能である取り出し凹部を設けてある。上記操作部は、上記バケットローターを回転操作するための手段である。上記バケットローターは、その外周面と、回転方向において対向している上記取り出し凹部の内周面の一方の内周面との間にすくい取り部を形成してある。上記取り出し凹部の開口部は上記収納凹部を通じて上記容器本体内及び上記排出口とそれぞれ連通可能である。上記収納凹部の開口部は上記取り出し凹部の開口部より広いものである。
この発明の第２の特徴は、上記第１の特徴を前提として、バケットローターの回転方向において対向している取り出し凹部の内周面の他方の内周面は、収納物を取り出し凹部内へ、排出口へそれぞれ導く案内面を形成していることにある。
この発明の第３の特徴は、上記第１の特徴又は第２の特徴を前提として、取り出し凹部はその底部から開口部に向けてバケットローターの回転方向に沿って屈曲状態に設けられていることにある。
この発明の第４の特徴は、上記第１の特徴、第２の特徴又は第３のいずれかの特徴を前提として、バケットローターの外周面と収納凹部の内周面との隙間を遮断するための封止材を設けてあることにある。
この発明の第５の特徴は、上記第１乃至第４のいずれかの特徴を前提として、容器本体の上端の開口部と蓋体の下端部との結合部分は止めリングによって密閉されており、排出口はこれを開放可能である開閉板によって密着状態に閉鎖されていることにある。
この発明の第６の特徴は、容器本体、蓋体、円板状のバケットローター及び操作ハンドルを具備していることにある。上記容器本体は、その内部で粒状物等の収納物を収納するものであり、上記蓋体は、上記容器本体の上端の開口部に密閉状態に取り付けられていると共に、上記開口部から取り外し可能であり、開口部と連絡孔部を有している収納凹部を設け、上記収納物を排出する排出口を設けてあり、上記バケットローターには、定量の上記収納物を取り入れ可能である取り出し凹部を外周面から内方に切り込んで設けていると共に、上記バケットローターの外周面と、回転方向において対向している上記取り出し凹部の内周面の一方の内周面との間にすくい取り部を形成し、かつ他方の内周面が上記収納物を取り出し凹部内へ、排出口へそれぞれ導く案内面を形成しており、上記操作ハンドルは、上記バケットローターと回転軸を介して接続されている。上記収納凹部の開口部は上記容器本体の上端の上記開口部と、上記連絡孔部は上記排出口とそれぞれ連通されており、上記バケットローターは、上記蓋体の収納凹部内に回転可能に設けられており、上記取り出し凹部はその底部から開口部に向けてバケットローターの回転方向に沿って屈曲状態に設けられており、上記取り出し凹部の開口部が上記収納凹部を通じて容器本体内及び上記排出口とそれぞれ連通可能であり、上記収納凹部の開口部は上記取り出し凹部の開口部より広いものである。
【発明の効果】
【０００５】
この発明によれば、蓋体の収納凹部内に回転可能に設けられているバケットローターは、すくい取り部を形成しているので、簡単な構成により収納物の定量取り出しを確実円滑に行える。
この発明によれば、バケットローターを有する蓋体を多種類の容器本体に対応可能にすれば、新規な又は既存の容器本体にも転用可能となるので、資源の有効利用を図ることができる。
【発明を実施するための最良の形態】
【０００６】
この発明の粒状物等の収納物の定量取り出し容器について図面を参照して説明する。
図１〜図４に示す定量取り出し容器１は、容器本体２、蓋体３、バケットローター４及び操作部５を具備しているものである。
【０００７】
容器本体２は、図１及び図２に示すように、その内部で粉状物、顆粒状物、粒状物等の収納物Ｇを収納するものである。容器本体２は上端が開口部２１となっている。
【０００８】
蓋体３は、図１及び図４に示すように容器本体２の上端の開口部２１に密閉状態に取り付けられていると共に、上記開口部から取り外し可能である。蓋体３は、その下端部と容器本体２の上端の開口部２１との間に密閉用の止めリング６を介在させてある。止めリング６は、蓋体３の下端部と容器本体２の上端部との結合部分の隙間を密閉し、この隙間を通じて、定量取り出し容器１外の湿気が内部へ侵入するのを防止して、収納物Ｇの品質の劣化を抑制する役割を果たしている。
蓋体３は、収納凹部３１と、上部側方（図１右方）には収納物Ｇを定量取り出し容器１の外に排出する排出口３２をそれぞれ設けてある。蓋体３は、図１、図５及び図６に示す例では中央から左右に二分割され、両分割体３ａ，３ｂがボルト３３によって結合されている。収納凹部３１は容器本体２の内部に向けて開口されており、図１及び図４に示すように下側の開口部３１１が容器本体２の開口部２１に連通されている。収納凹部３１には図１右側の上部に開けてある連通孔部３１２が排出口３２に連通されている。排出口３２は図１及び図７に示すように筒体からなり、基部がボルト３４（図３）によって蓋体３に固定されている。３２１はボルト３４の挿入孔である。排出口３２は図１に示すように開閉手段７の開閉板７１によって開閉可能であり、不使用時には密閉状態に閉鎖されている。蓋体３の下部には、図５に示すように全周に保持溝３１３を設けてあり、この保持溝には止めリング６が嵌め込まれている。図６において、３１４はボルト３３を通すためのボルト挿入孔、３１５は後述する回転軸５１のための軸孔である。
【０００９】
開閉手段７は、図１〜図３に示すようにＬ形の操作レバー７２を備えており、この操作レバーの先端部には開閉板７１を接続してある。開閉板７１の裏面には密着用パッキン７１１を取り付けてあり、密着用パッキンが排出口３２の先端の口部に密着可能である。操作レバー７２は、ステー７３から起立されている軸受け部７４に支持されているピン７５を回転中心として軸受け部に保持されている。ステー７３は蓋体３の上面にボルト７６によって固定されている。操作レバー７２には、図１、図２及び図８に示すように、板状の保持用板ばね７７をボルト７８によって取り付けてある。ステー７３の先端部側、すなわち保持用板ばね７７の先端側の下部が溝穴７３１となっている。このように、保持用板ばね７７の先端側は溝穴７３１の存在によって自由端となっている。操作レバー７２は、保持用板ばね７７によって常に図１時計方向にばね力が付与されている。このため、通常、開閉板７１は密着用パッキン７１１を介して排出口３２を密着状態に閉鎖している。排出口３２を開放するには、操作レバー７２を保持用板ばね７７のばね力に抗して図１鎖線に示すように図１反時計方向に回転させ、所定角度回転させると、ばね力によって操作レバーの戻り回転が阻止されて、開放位置が保持される。
【００１０】
バケットローター４は、図１〜図４に示すように蓋体３の収納凹部３１の内部に回転軸５１を中心として回転可能に設けてある。バケットローター４は円板状に形成されており、定量の収納物Ｇを取り入れ可能である取り出し凹部４１を設けてある。
バケットローター４において、図９〜図１１に示すように取り出し凹部４１はバケットローター４の外周面から内方に向けて切り込まれている。バケットローター４は、バケット機能を発揮させるための構造、換言すれば定量の収納物Ｇをすくい取りやすくするための構造を備えている。すなわち、図１、図４及び図９に示す例によれば、取り出し凹部４１は、その底部がバケットローター４の中心部に位置している回転軸５１に隣接して配置されており、この底部から開口部４１１に向けてバケットローターの回転方向（図９時計方向）に沿って屈曲状態に設けられている。バケットローター４の外周面と、回転方向において対向している取り出し凹部４１の内周面の一方の内周面４１２との間にすくい取り部４１４を形成し、他方の内周面４１３が収納物Ｇを取り出し凹部内へ、排出口３２（図１）へそれぞれ導く案内面を形成している。すくい取り部４１４は図９に示すようにバケットローター４の外周面に沿った円弧状のアームを形成し、あたかもバケットの前方に張り出された爪の役割を持つ。また他方の内周面４１３は案内面として、すくい取り部４１４ですくい取った収納物Ｇを取り出し凹部４１の底部側に導くように、また図４に示すように排出時には収納物を排出口３２側へ送り出す役割を持つ。
取り出し凹部４１の開口部４１１は、図１に示すように蓋体３の収納凹部３１を通じて容器本体２の開口部２１と連通可能である。また、取り出し凹部４１の開口部４１１は、図１に示すように蓋体３の収納凹部３１を通じて排出口３２と連通可能である。このため、バケットローター４はその回転角度に応じて取り出し凹部４１内に定量の収納物Ｇを取り入れることができ、そして取り出し凹部内に取り入れた定量の収納物を排出口３２に向けて排出可能である。
バケットローター４には、図９に示すように中心孔４２の図左側には封止材８を取り付けてある。封止材８は図１１に示すように平面「コ」の字形に形成されており、バケットローター４の取付け溝に嵌め込まれた状態で水平に取り付けられているパッキンである。封止材８はバケットローター４の外周面と、収納凹部３１の内周面との隙間を遮断するためのものである。封止材８は、排出口３２の開放時に外部の湿気が容器本体２の内部へ流入することを防止する役割を持つ。
【００１１】
操作部５はバケットローター４を回転操作するための手段である。操作部５の回転軸５１は図２に示すように蓋体３の一側部から外方へ突出されている。回転軸５１の突出端にハンドル５２が着脱可能に接続されている。このために、ハンドル５２を回転させることにより、回転軸５１を通じてバケットローター４が回転可能となる。
図１において、５３は回転軸５１とバケットローター４を連結している回転止めねじである。
【００１２】
次に、定量取り出し容器１の使用方法について説明する。
一方の手で定量取り出し容器１を持って図１に示す状態から図４に示すように傾けて収納物Ｇを蓋体３の開口部３１１側に移動させ、同時に操作レバー７２を操作して開閉板７１を回転させて排出口３２を開け、他方の手で操作ハンドル５を回すと、バケットローター４が回転しながらすくい取り部４１４を通じて収納物Ｇの一部すなわち定量分だけ取り出し凹部４１内にすくって取り入れる。この段階では、排出口３２はバケットローター４の外周部が対向して閉鎖されている状態にある。そして回転するバケットローター４が図４に示す位置に達すると、取り出し凹部４１の開口部４１１が排出口３２と対向するから、取り出し凹部４１内の定量の収納物は排出口３２から排出され、一定量の収納物を定量取り出し容器１から取り出すことができる。
取り出された収納物Ｇの量が希望するものであれば、定量取り出し容器１を図１に示す状態に戻し、不足の場合には定量取り出し容器を図４に示す状態を維持しながら操作ハンドル５を用いてさらにバケットローター４の回転を繰り返す。
【００１３】
図示する定量取り出し容器１によれば、次のような効果が生じる。
定量取り出し容器１の蓋体３にバケットローター４を設けてあるので、この蓋体を新規の又は既存の多種類の容器本体に対応可能にすれば、例えばコーヒー粉用の定量取り出し容器として不要となっても、他の種類の容器に再利用することができるから、資源の有効利用に寄与する。
バケットローター４の取り出し凹部４１はすくい取り部４１４を形成してあるので、定量取り出し容器１の収納物Ｇを確実に取り入れることができると共に、容器本体２内に残り少なくなった収納物まで容易にすくい取ることができる。
バケットローター４の取り出し凹部４１は開口部４１１から底部に連なる内周面４１３が案内面を構成しているので、収納物Ｇの取り入れ及び排出口３２への排出が円滑に行える。
【００１４】
蓋体３は必ずしも分割体３ａ，３ｂから構成されるものに限定されない。操作部５は操作ハンドルに限られない。回転軸５１はバケットローター４を貫通するものに限られない。
【図面の簡単な説明】
【００１５】
【図１】この発明に係る収納物の定量取り出し容器を示す一部切欠正面図である。
【図２】この発明に係る収納物の定量取り出し容器を示す一部切欠側面図である。
【図３】この発明に係る収納物の定量取り出し容器を示す正面図である。
【図４】この発明に係る収納物の定量取り出し容器の使用状態を示す一部切欠正面図である。
【図５】この発明に係る収納物の定量取り出し容器に使用する蓋体と止めリングとを分離して示す正面図である。
【図６】この発明に係る収納物の定量取り出し容器に使用する蓋体の一方の分割体の正面図である。
【図７】この発明に係る収納物の定量取り出し容器に使用する排出口の拡大側面図である。
【図８】この発明に係る収納物の定量取り出し容器に使用する開閉手段の平面図である。
【図９】この発明に係る収納物の定量取り出し容器に使用するバケットローターの拡大正面図である。
【図１０】この発明に係る収納物の定量取り出し容器に使用するバケットローターの拡大底面図である。
【図１１】図９のＸＩ−ＸＩ線断面図である。
【符号の説明】
【００１６】
１                          定量取り出し容器
２                          容器本体
２１                        開口部
３                          蓋体
３ａ，３ｂ                  分割体
３１                        収納凹部
３１１                      開口部
３１２                      連通孔部
３２                        排出口
４                          バケットローター
４１                        取り出し凹部
４１１                      開口部
４１２                      一方の内周面
４１３                      他方の内周面
４１４                      すくい取り部
５                          操作ハンドル（操作部）
５１                        回転軸
６                          止めリング
７                          開閉手段
７１                        開閉板
７１１                      密着用パッキン
８                          封止材
Ｇ                          収納物
【図１】
2007039089.tif 000003
【図２】
2007039089.tif 000004
【図３】
2007039089.tif 000005
【図４】
2007039089.tif 000006
【図５】
2007039089.tif 000007
【図６】
2007039089.tif 000008
【図７】
2007039089.tif 000009
【図８】
2007039089.tif 000010
【図９】
2007039089.tif 000011
【図１０】
2007039089.tif 000012
【図１１】
2007039089.tif 000013